(57)【要約】【課題】  撮像装置の放熱効果に優れ、かつ内部の光学系に熱の影響が及ぶおそれの少ないデジタルカメラの放熱構造を提供する。【解決手段】  結像光学系を収納保持した光学系保持枠；この結像光学系の結像面に位置させて光学系保持枠に固定した撮像素子；光学系保持枠の外側に該光学系保持枠を囲繞して位置する外装；この外装に穿設された貫通穴；この貫通穴に装着された、外装の構成材料よりも熱伝導率が高い材料からなる外観放熱部材；上記撮像素子に一端部が結合され、他端部が外観放熱部材と光学系保持枠との間に延出された金属製の放熱板；及び、この放熱板と外観放熱部材とを接触させる熱伝導部材；を備えたデジタルカメラの放熱構造。【選択図】  図１７
2005328202.tif 000002
【特許請求の範囲】
【請求項１】
結像光学系を収納保持した光学系保持枠；
この結像光学系の結像面に位置させて上記光学系保持枠に固定した撮像素子；
上記光学系保持枠の外側に該光学系保持枠を囲繞して位置する外装；
この外装に穿設された貫通穴；
この貫通穴に装着された、上記外装の構成材料よりも熱伝導率が高い材料からなる外観放熱部材；
上記撮像素子に一端部が結合され、他端部が外観放熱部材と光学系保持枠との間に延出された金属製の放熱板；及び
この放熱板と外観放熱部材とを接触させる熱伝導部材；
を備えたことを特徴とするデジタルカメラの放熱構造。
【請求項２】
請求項１記載のデジタルカメラの放熱構造において、上記熱伝導部材が弾性を有する熱伝導性材料からなるデジタルカメラの放熱構造。
【請求項３】
請求項１または２記載のデジタルカメラの放熱構造において、
上記光学系保持枠と外装との間に、別部材としての中間断熱枠を備え、上記放熱板とこの中間断熱枠が断熱スペーサを介して接触しているデジタルカメラの放熱構造。
【請求項４】
請求項１ないし３のいずれか１項に記載のデジタルカメラの放熱構造において、上記外装は結像光学系の光軸を囲む複数の平面からなり、該複数の平面の一つに回動可能なグリップが支持され、上記外観放熱部材は、該グリップを支持する平面とは異なる平面に装着されているデジタルカメラの放熱構造。
【請求項５】
光軸方向の最後部に撮像素子を有する結像光学系を保持した光学系保持枠；
この光学系保持枠の外側に該光学系保持枠を囲繞して位置する囲繞面と、上記撮像素子の後部に対向して位置する後端面とを有する筒状の外装部；
この外装部内に、上記囲繞面と上記撮影光学系の保持部材の間に位置させて設けた中間断熱枠；
一端部が撮像素子に接続し、カメラ外装部の後端面と撮像素子との間の空間と、カメラ外装部の囲繞面と中間断熱枠との間の空間とに亘って設けた金属製の放熱板；
カメラ外装部の囲繞面を貫通させて装着した、上記放熱板に対向しかつカメラ外観に露出する、カメラ外装部よりも熱伝導率の高い材料からなる外観放熱部材；及び
該外観放熱部材と放熱板を接続する、弾性を有する熱伝導部材；
を備えたことを特徴とするデジタルカメラの放熱構造。
【発明の詳細な説明】
【技術分野】
【０００１】
本発明はデジタルカメラの放熱構造に関する。
【背景技術】
【０００２】
デジタルスチルカメラやデジタルビデオカメラ（以下、デジタルカメラと総称する）では、撮像装置を構成する固体撮像素子（ＣＣＤイメージセンサやＣＭＯＳイメージセンサ）が発生する熱の影響で、撮像装置から出力される画像データにノイズが乗ったり、光学ユニットが熱膨張して光学精度が低下したりすることを避けるために、効率的な熱処理が課題とされている。例えば、デジタルスチルカメラの多くは、撮像素子の後方に液晶表示部を備えているため、後方へは放熱させにくいという制約がある。
【特許文献１】特開平７-２１２６３３号
【特許文献２】特開２００３-３３２５４９号
【発明の開示】
【発明が解決しようとする課題】
【０００３】
本発明は、撮像装置の放熱効果に優れ、かつ内部の光学系に熱の影響が及ぶおそれの少ないデジタルカメラの放熱構造を提供することを目的とする。
【課題を解決するための手段】
【０００４】
本発明のデジタルカメラの放熱構造は、結像光学系を収納保持した光学系保持枠と、この結像光学系の結像面に位置させて光学系保持枠に固定した撮像素子と、光学系保持枠の外側に該光学系保持枠を囲繞して位置する外装と、この外装に穿設された貫通穴と、この貫通穴に装着された、外装の構成材料よりも熱伝導率が高い材料からなる外観放熱部材と、撮像素子に一端部が結合され、他端部が外観放熱部材と光学系保持枠との間に延出された金属製の放熱板と、この放熱板と外観放熱部材とを接触させる熱伝導部材とを備えたことを特徴としている。
【０００５】
熱伝導部材は、熱伝導性ゴムや熱伝導性シリコンといった、弾性を有する熱伝導性材料で構成することが好ましい。
【０００６】
また、光学系保持枠と外装との間に別部材としての中間断熱枠を備え、この中間断熱枠と放熱板を断熱スペーサを介して接触させると、放熱板の支持安定性と光学系保持枠への断熱効果が向上し、より好ましい構造となる。
【０００７】
結像光学系の光軸を囲む複数の平面によってカメラの外装が構成され、その外装の平面の一つに回動可能なグリップが支持されている態様では、外観放熱部材は、該グリップを支持する平面とは異なる平面に装着されることが好ましい。
【０００８】
本発明のデジタルカメラの放熱構造はまた、光軸方向の最後部に撮像素子を有する結像光学系を保持した光学系保持枠と、この光学系保持枠の外側に該光学系保持枠を囲繞して位置する囲繞面と、撮像素子の後部に対向して位置する後端面とを有する筒状の外装部と、この外装部内に、囲繞面と撮影光学系の保持部材の間に位置させて設けた中間断熱枠と、一端部が撮像素子に接続し、カメラ外装部の後端面と撮像素子との間の空間と、カメラ外装部の囲繞面と中間断熱枠との間の空間とに亘って設けた金属製の放熱板と、カメラ外装部の囲繞面を貫通して支持され、放熱板に対向しかつカメラ外観に露出する、カメラ外装部よりも熱伝導率の高い材料からなる外観放熱部材と、該外観放熱部材と放熱板を接続する、弾性を有する熱伝導部材とを備えたことを特徴としている。
【発明の効果】
【０００９】
以上の本発明によれば、撮像装置の放熱効果に優れ、かつ内部の光学系には撮像装置の熱が伝わりにくいデジタルカメラの放熱構造を得ることができる。
【発明を実施するための最良の形態】
【００１０】
以下、図示実施形態に基づき本発明を説明する。デジタルカメラ１０は、撮影光学系（結像光学系）ＰＹ（図１４ないし図１６）を内蔵したカメラ本体部１１を有している。カメラ本体部１１は撮影光学系ＰＹの光軸Ｏに沿う方向に長い箱型（四角筒）形状をなし、その外面は、光軸Ｏと略直交するボディ前端面１１ａとボディ後端面１１ｂ、このボディ前端面１１ａとボディ後端面１１ｂを接続して光軸Ｏを囲むボディ上面１１ｃ、ボディ下面１１ｄ、ボディ右側面１１ｅ、ボディ左側面１１ｆとにより構成されている。なお本実施形態では、図３、図１１及び図１２の天地方向をデジタルカメラ１０における上下方向、同じく水平方向を左右方向とする。より詳細には、デジタルカメラ１０に対してボディ後端面１１ｂ側に視点位置をとったとき（図３の状態）での右手方向を右、同左手方向を左と定義する。また、光軸Ｏと平行な方向（以下、光軸方向とする）をデジタルカメラ１０における前後方向とし、ボディ前端面１１ａ側を前方、ボディ後端面１１ｂ側を後方と定義する。
【００１１】
カメラ本体部１１のボディ前端面１１ａには、撮影光学系ＰＹのうち最も被写体側に位置する前玉レンズＬＦが露出している。前玉レンズＬＦは単レンズでもレンズ群でもよい。前玉レンズＬＦの周囲は、フィルタなどのアクセサリを取り付けることが可能なフィルタねじ１２が設けられている。撮影光学系ＰＹはズームレンズ系であり、前玉レンズＬＦ以外にも複数のレンズ群を備えている（図１４ないし図１６参照）。また、撮影光学系ＰＹはズーミング時及びフォーカシング時に鏡筒を繰り出さないインナーズーム、インナーフォーカスタイプの撮影光学系であり、前玉レンズＬＦが図示位置より前方に移動することはない。
【００１２】
カメラ本体部１１のボディ上面１１ｃには、ボディ後端面１１ｂに近い領域に、電源ボタン１３、モードダイヤル１４、再生ボタン１５、メニューボタン１６、多方向ボタン１７といった操作関連のボタンが設けられている。電源ボタン１３はデジタルカメラ１０のメインスイッチをオンオフさせるための操作部材、モードダイヤル１４は各種撮影モードを選択するための操作部材、再生ボタン１５は記録された画像を液晶表示部３２に表示（再生）させるための操作部材である。また、メニューボタン１６を操作すると各種の設定モードに入り、多方向ボタン１７を操作して機能を選択、設定することができる。多方向ボタン１７はまた、再生される画像の切り換えなどにも使用される。メニューボタン１６による設定項目は、記録画面サイズ、画質、ホワイトバランス、感度等であるが、これに限定されるものではない。多方向ボタン１７は複数方向へ操作可能なモーメンタリスイッチであり、例えば、直交する２軸方向（４方向）への押圧操作と該２軸の交点位置での押下操作が可能に構成されている。これらボタン類の前方には、ポップアップストロボ１８が配設されている。ポップアップストロボ１８は、その発光部をカメラ本体部１１の上方へ突出させるポップアップ状態と、該発光部をボディ上面１１ｃ内に収納させる収納状態とに切換可能であり、各図はポップアップストロボ１８の収納状態を示している。また、ボディ上面１１ｃとボディ右側面１１ｅの間の稜線部付近にはメモリカード蓋１９が設けられている。メモリカード蓋１９を開くと図示しないメモリカードスロットの開口部が露出し、画像データを記録するためのメモリカードをメモリカードスロットに挿脱させることが可能になる。
【００１３】
カメラ本体部１１のボディ左側面１１ｆには、ボディ上面１１ｃ上の各種ボタンと概ね同様の前後方向位置（すなわち、ボディ後端面１１ｂに近い領域）に、ストロボモードボタン２０、セルフ連写ボタン２１、フォーカスモードボタン２２が光軸方向へ略等間隔で配設されている。ストロボモードボタン２０は、ポップアップストロボ１８の発光部の制御に用いる操作部材であり、強制発光、発光停止、赤目防止発光モード等のストロボ関連のモードを切り替えることができる。セルフ連写ボタン２１は撮影時のドライブモードを選択するための操作部材であり、通常のドライブモード（シャッタレリーズ操作と同時に１枚だけ撮影する）に加えて、セルフタイマ撮影モード、オートブラケットモード等を選択することができる。フォーカスモードボタン２２は、フォーカスモードを選択するための操作部材であり、通常のオートフォーカスモードの他に、マクロ撮影モード、無限遠撮影モード、マニュアルフォーカスモード等を選択することができる。また、ボディ左側面１１ｆには、ストロボモードボタン２０の若干前方にスピーカー開口部２３が形成され、該スピーカー開口部２３の下方には外部コネクタカバー２４が設けられている。外部コネクタカバー２４はボディ左側面１１ｆに対して開閉（または着脱）可能になっている。
【００１４】
カメラ本体部１１のボディ後端面１１ｂ側には、ボディ後端面１１ｂとボディ上面１１ｃの間の稜線（境界）部に設けたヒンジ部２６を介して液晶モニタブロック２５が支持されている。ヒンジ部２６は、カメラ本体部１１側において左右方向に離間させて設けた一対の支持アーム２７と、該一対の支持アーム２７に挟まれ液晶モニタブロック２５を支持する中間支持部２８と、中間支持部２８から左右方向に突出されて各支持アーム２７内の軸孔に回転可能に挿入された一対の軸ピン２９を備え、該軸ピン２９を介して支持アーム２７と中間支持部２８は相対回動可能になっている。軸ピン２９の軸線Ｘ１は光軸Ｏと直交するカメラの左右方向へ向いており、該軸線Ｘ１を中心として液晶モニタブロック２５は、光軸Ｏの後方延長上にあってボディ後端面１１ｂに隣接する収納位置（図４、図９）と、中間支持部２８と反対側の縁部をヒンジ部２６よりも高い位置に持ち上げる起立位置（図８）との間で回動することができる。収納位置では、液晶モニタブロック２５の液晶表示部３２は、光軸Ｏに対して略直交する平面内に位置される。また、図８に二点鎖線で示す位置が液晶モニタブロック２５の最大起立位置である。液晶モニタブロック２５における収納位置と最大起立位置の間の回動角は１８０度以上であることが好ましく、本実施形態では約２１０度に設定されている。
【００１５】
液晶モニタブロック２５はまた、中間支持部２８に対して、軸線Ｘ１と直交する軸線Ｘ２を中心として回動可能に支持されている。詳細には、液晶モニタブロック２５のフレーム部２５ａには、該軸線Ｘ２方向に向けて軸ピン３０が設けられ、中間支持部２８には該軸ピン３０が回転可能に挿入される軸孔が形成されている。したがって、カメラ本体部１１に対して液晶モニタブロック２５は、軸線Ｘ１を中心とする回動と、軸線Ｘ２を中心とする回動を行うことができる。なお、ヒンジ部２６における軸ピンと軸孔の関係は、以上の説明とは逆の関係にすることもできる。すなわち、支持アーム２７（カメラ本体部１１）と中間支持部２８の関係においては、支持アーム２７側に軸ピンを設け中間支持部２８側に軸孔を形成してもよいし、液晶モニタブロック２５と中間支持部２８の関係においては、中間支持部２８側に軸ピンを設け液晶モニタブロック２５側に軸孔を形成してもよい。
【００１６】
液晶モニタブロック２５のフレーム部２５ａは、矩形の液晶表示部３２を囲む４辺の縁部を有しており、図４及び図９のように液晶モニタブロック２５をボディ後端面１１ｂに隣接させた収納位置では、中間支持部２８に接する縁部を除く３辺の縁部がそれぞれボディ下面１１ｄ、ボディ右側面１１ｅ、ボディ左側面１１ｆと略面一になるようなサイズ及び形状となっている（図３ないし図９参照）。
【００１７】
液晶表示部３２がボディ後端面１１ｂに対向する図４の状態から軸線Ｘ１を中心として液晶モニタブロック２５を回動させて図８のように起立させると、液晶表示部３２が撮影者の方を向き、該液晶表示部３２をモニタとして使用（視認）することが可能になる。図８では液晶モニタブロック２５を約１８０度起こした状態と前述の最大起立位置を示しているが、ヒンジ部２６は、これ以外の任意の角度位置で液晶モニタブロック２５を停止させることができるようなフリクション（あるいはクリック）機構を備えている。
【００１８】
また、図１０に示すように、起立状態の液晶モニタブロック２５を軸線Ｘ２中心で回動させて液晶表示部３２を前方に向けることもできる。液晶表示部３２を前方に向けた状態は、撮影者が自らを被写体とする対面撮影に適している。また、この対面撮影状態のまま液晶モニタブロック２５を軸線Ｘ１中心で収納方向へ回動させ、液晶表示部３２がカメラ本体部１１のボディ上面１１ｃと概ね平行になる角度にすると、ウエストレベル撮影に適した状態になる。さらに、この状態から液晶モニタブロック２５を軸線Ｘ１中心でボディ後端面１１ｂに接近する方向に回動させると、図４とは逆に、液晶表示部３２がボディ後端面１１ｂに対向せずにカメラの後端部に露出する図９の状態となり、カメラ本体部１１から液晶モニタブロック２５を突出（起立）させなくても液晶表示部３２の視認が可能になる。なお、図８の状態と図９の状態では液晶表示部３２の表示画面上における天地方向が逆になるが、デジタルカメラ１０は、液晶モニタブロック２５の位置状態の変化を検知する検知手段と、該検知手段に基づいて液晶表示部３２に適切な状態（撮影者から見て上下方向の正しい）の画像を表示させる画像制御手段とを備えている。なお、デジタルカメラ１０の運搬時などでは、図４のように液晶表示部３２をボディ後端面１１ｂに対向させて該液晶表示部３２の保護を図ることが好ましい。
【００１９】
カメラ本体部１１のボディ右側面１１ｅ側には、把持用のグリップ４０が設けられている。グリップ４０はカメラ本体部１１と同様に細長の箱型（四角筒）形状をなしており、その外面は、長手方向に離間する両グリップ端面４０ａ、４０ｂと、該グリップ端面４０ａ及び４０ｂと略直交させて長手方向へ延出された４つの長手方向面４０ｃ、４０ｄ、４０ｅ、４０ｆを備えている。これらの各面のうち、両グリップ端面４０ａ、４０ｂのセット、長手方向面４０ｃ、４０ｄのセット、長手方向面４０ｅ、４０ｆのセットはそれぞれ略平行な関係にある。グリップ４０内にはデジタルカメラ１０の駆動電源であるバッテリ４２（図１）の収納室（電池収納室）が形成されており、該電池収納室を開閉可能な電池蓋４３がグリップ端面４０ａ側に該けられている。
【００２０】
グリップ４０は、カメラ本体部１１に対してグリップ回動軸４１を介して回動可能に支持されている。グリップ回動軸４１は、カメラ本体部１１とグリップ４０の互いの対向面であるボディ右側面１１ｅと長手方向面４０ｆを接続するように設けられており、その軸線Ｘ３はヒンジ部２６の軸ピン２９における軸線Ｘ１と略平行である。グリップ４０の長手方向におけるグリップ回動軸４１（軸線Ｘ３）の位置はグリップ端面４０ｂの近傍に偏心して設定されており、したがってグリップ４０は、図４ないし図７に示すように、グリップ端面４０ａ（電池蓋４３）側の端部が軸線Ｘ３を中心とする円弧状の軌跡を描くように回動される。
【００２１】
図４と図５はグリップ４０の回動端の一方（収納端）と他方（突出端）を示しており、いずれもグリップ４０の長手方向とカメラ本体部１１の長手方向（光軸方向）が略平行になっているが、グリップ端面４０ａ、４０ｂの向きが反転した関係にある。図４の収納端ではグリップ端面４０ａ（電池蓋４３）が前方を向いており、グリップ４０の外形は、カメラの前後方向及び上下方向においてボディ右側面１１ｅの輪郭内に収まっている。換言すれば、図４の状態では、グリップ４０の長手方向の全長がカメラ本体部１１の長手方向幅（光軸方向位置）内に収まり、かつグリップ４０の短手方向幅（長手方向面４０ｃ、４０ｄを結ぶ距離）がカメラ本体部１１の上下方向幅内に収まっており、グリップ４０はカメラ本体部１１に対して前後方向及び上下方向には突出しない。つまり、グリップ４０とカメラ本体部１１が概ね一続きの箱状体をなしており、持ち運びやすい収納状態となっている。また、グリップ４０が下方に突出しないので、カメラを安定して床や机上に載置することができ、このような載置状態での撮影にも適している。特にこの収納端では、グリップ４０の長手方向面４０ｄ（下面）がカメラ本体部１１のボディ下面１１ｄと略面一になっており（図３、図１１参照）、ボディ下面１１ｄを下方に向けてデジタルカメラ１０を載置した際の安定性が良くなっている。
【００２２】
撮影を行う際にはグリップ４０を図４の収納端から時計方向に回動させればよい。グリップ回動軸４１は、グリップ端面４０ａ（電池蓋４３）が後方を向く図５の突出端までの任意の角度でグリップ４０を停めることが可能な保持機構を備えており、グリップ４０の角度位置を撮影者の好みで決めることができる。前述の通り、液晶モニタブロック２５は軸線Ｘ１及び軸線Ｘ２を中心にして角度調整可能であり、これと独立して軸線Ｘ３を中心にしてグリップ４０も角度調整可能とさせることにより、自由度の高い撮影姿勢を得ることができる。特に、液晶モニタブロック２５の回転中心（軸線Ｘ１）とグリップ４０の回転中心（軸線Ｘ３）を、カメラ左右方向に向けて平行にさせたことにより、ホールディング性やモニタの視認性を損なうことなく、カメラの高さ位置及びカメラの仰角（縦方向の角度）を自在に変えることが可能である。
【００２３】
グリップ回動軸４１はさらに、図１１及び図１２に示すように、カメラ本体部１１に対してグリップ４０を軸線Ｘ３に沿う方向（左右方向）に接離させることが可能に構成されている。この接離動作は、軸線Ｘ３を中心とした上記の回動とは独立して行わせることが可能であり、例えば、グリップ４０が図４の収納端にあるときに該グリップ４０をカメラ本体部１１に接近させると（図１１の状態）、カメラ本体部１１からのグリップ４０の突出量が最も少ないコンパクトな状態にすることができる。一方、グリップ４０を把持する撮影時等では、図１２のようにグリップ４０をスライドさせてカメラ本体部１１から所定量離間させることにより、グリップ４０を把持する手とカメラ本体部１１（特にボディ右側面１１ｅ）の干渉が回避されてホールディング性が向上する。図１２ではグリップ４０の長手方向がカメラ本体部１１の長手方向と略平行な状態を示しているが、この状態から軸線Ｘ３を中心としてグリップ４０を回動させて任意の角度に設定することができる。
【００２４】
前述のように、グリップ４０は、それぞれのセットが略平行をなす３対の平面部（両グリップ端面４０ａ、４０ｂと、長手方向面４０ｃ、４０ｄ、４０ｅ、４０ｆ）を外面に有する箱状体である。このグリップ４０において、グリップ回動軸４１に近い側のグリップ端面４０ｂ付近の外面にはさらに、該グリップ端面４０ｂと長手方向面４０ｃを接続する傾斜面４０ｇが形成され、またグリップ端面４０ｂのうち長手方向面４０ｃに接する稜線部が面取りされて弧状面４０ｈが形成されている。この傾斜面４０ｇ、グリップ端面４０ａ、４０ｂ（弧状面４０ｈ）、そして長手方向面４０ｃ、４０ｄは、グリップ回動軸４１の軸線Ｘ３と略平行でかつ該軸線Ｘ３を囲む囲繞面を構成している。傾斜面４０ｇは、グリップ４０の他の外面のいずれに対しても非平行な平面である。傾斜面４０ｇ上にはシャッタボタン４５が設けられ、該シャッタボタン４５を囲む環状のズーム操作レバー４６が設けられている。また、弧状面４０ｈはグリップ４０の外側に向けて正の曲率を持つ曲面であり、該弧状面４０ｈ上には録画ボタン４７が設けられている。シャッタボタン４５は静止画撮影用の操作部材であり、ボタンの半押しで測光や測距を行い、全押しでシャッタレリーズ（静止画の撮影）を行わせることができる。このときの撮影モード等は、前述した各操作部材によって適宜設定される。一方、録画ボタン４７は動画撮影用の操作部材であり、押圧されると動画の記録が開始され、押圧解除すると該記録が停止される。静止画と動画のいずれも、画像処理手段による処理を経て電子画像データとしてメモリカードに記録される。
【００２５】
傾斜面４０ｇは、図４に示すように長手方向面４０ｃ、４０ｄの中間を通るグリップ４０の長手方向線Ｓに関して、非平行かつ非直交となるように形成されている。この長手方向線Ｓに対する傾斜面４０ｇの傾斜角Ｋ１は、１５度から７５度の間、より好ましくは３０度から６０度の間であるとよい。そして、この傾斜面４０ｇ上に設けられたシャッタボタン４５は、グリップ４０のグリップ端面４０ａ（電池蓋４３）が斜め下後方を向く図６の角度位置でカメラの正面（前方）を向く。デジタルカメラ１０を撮影者のアイレベルまたはその近傍に保持する一般的な撮影姿勢では、この図６の角度位置を中心とした正逆の所定角度範囲内にグリップ４０が位置することが想定される。そして、人間の手の形状を考慮すると、グリップ４０が斜め下後方を向く状態においてシャッタボタン４５がカメラの略正面に向いていると、人差し指による押圧操作を行い易くなる。
【００２６】
また、録画ボタン４７は、傾斜面４０ｇと非直交関係にあって隣接するグリップ端面４０ｂ上に設けられているので、グリップ４０が図６の角度位置にあるとき録画ボタン４７はカメラの略上方に向き、シャッタボタン４５に人差し指をかけると録画ボタン４７は自然に親指の位置に対応する。ここで録画ボタン４７は、グリップ端面４０ｂにおいてもさらに凸状に面取りされた（正の曲率を有する）弧状面４０ｈ上に設けられており、図４に示すように、長手方向面４０ｃ、４０ｄの中間を通るグリップ４０の長手方向線Ｓに関して、シャッタボタン４５と概ね反対方向に傾けて突出されている。このように録画ボタン４７に傾斜をつけることで、撮影者の親指が録画ボタン４７に対してさらに自然に接触するようになり、操作性が一層向上する。長手方向線Ｓに対する録画ボタン４７の傾斜角Ｋ２は、シャッタボタン４５（傾斜面４０ｇ）の傾斜角Ｋ１と同程度であると好ましい。
【００２７】
したがって、グリップ４０が斜め下方を向く図６の角度位置、あるいはその前後の所定範囲の角度位置にあるとき、シャッタボタン４５はカメラの略前方を向き、かつ録画ボタン４７はカメラの略上方に向き、シャッタボタン４５に人差し指をかけると録画ボタン４７は自然に親指の位置に対応する。つまり、グリップ４０では、撮影状態での使用位置に回転させたときに押圧操作を行い易い位置にシャッタボタン４５と録画ボタン４７が設けられている。
【００２８】
なお、撮影状態でのグリップ４０の角度は図５や図６に限られない。例えば、カメラを頭上に差し上げた撮影姿勢では、図７のようにグリップ端面４０ａ（電池蓋４３）を略鉛直方向に向けた角度にグリップ４０を位置させることもある。この場合、撮影者の腕はグリップ４０の長手方向と概ね平行に延ばされるため、図６の場合と同様に人差し指と親指がそれぞれシャッタボタン４５と録画ボタン４７に自然にかかり、各ボタンの操作を無理なく行うことができる。
【００２９】
また、グリップ４０は、長手方向において一方の端部４０ｂ側に偏心した位置でグリップ回動軸４１に支持されている。これに対し、シャッタボタン４５と録画ボタン４７は、グリップ回動軸４１（軸線Ｘ３）を中心とする放射方向において該グリップ回動軸４１に比較的近い位置に偏心させて配置されているので、グリップ４０を回動させたときのカメラ本体部１１に対する位置変位が小さく、操作性が損なわれにくい。また、シャッタボタン４５と録画ボタン４７は、グリップ回動軸４１（軸線Ｘ３）を中心とする略同一円周面に位置しており、グリップ４０を回動させてもグリップ回動軸４１からのそれぞれの距離が変化しない。これによっても操作性が損なわれにくくなっている。
【００３０】
以上のように、シャッタボタン４５と録画ボタン４７は、グリップ４０のいずれの角度位置であっても操作しやすい配置になっている。
【００３１】
カメラ本体部１１のボディ下面１１ｄには下方に向けて開口された三脚ねじ穴４８が形成されている（図４参照）。液晶モニタブロック２５とグリップ４０はそれぞれボディ後端面１１ｂとボディ右側面１１ｅ側に支持されているため、該液晶モニタブロック２５とグリップ４０はそれぞれ回動を行ってもボディ下面１１ｄと重ならず、三脚ねじ穴４８が塞がれることがない。よって回動するタイプのグリップ４０や液晶モニタブロック２５を備えつつ、三脚を用いた撮影を支障なく行うことができる。また、前述の通り、グリップ４０を収納端に回転させれば、三脚なしでもカメラを安定して自立させることができる。つまり、本実施形態のデジタルカメラ１０は、手持ち以外の各種撮影形態にも対応している。
【００３２】
以上のような回動可能なグリップ４０を有するデジタルカメラ１０で手持ち撮影を行う場合、右手で該グリップ４０を把持し、左手でカメラ本体部１１を保持するのが一般的な撮影姿勢となる。このとき左手は、掌でボディ下面１１ｄを支え、親指をボディ左側面１１ｆに沿わせることになる。ここで左手との接触面積が最も広いボディ下面１１ｄには操作部材が設けられていないので、誤操作が生じるおそれがない。また、左手親指が沿うボディ左側面１１ｆには、ストロボモードボタン２０、セルフ連写ボタン２１、フォーカスモードボタン２２といった、撮影状態での使用頻度の高い画像記録設定用の操作部材が設けられており、撮影姿勢を崩さずに画像記録の設定を行うことができる。
【００３３】
また、記録した静止画像や動画を液晶表示部３２に再生するときは、主にカメラ本体部１１のボディ上面１１ｃに指がかかる使用姿勢が想定される。これに対応して、再生ボタン１５や多方向ボタン１７といった画像再生用の操作部材は、該ボディ上面１１ｃに設けられており、カメラ本体部１１を上記姿勢で把持したまま操作することが容易になっている。なお、画像再生時には、グリップ４０を収納端に位置させて、右手もカメラ本体部１１を保持するようにしてもよい。
【００３４】
図１３ないし図１６は、カメラ本体部１１内における電装系の配置を示している。カメラ本体部１１内には撮影光学系ＰＹを支持する光学系保持枠５０が設けられている。光学系保持枠５０は光軸方向に軸線を向けた筒状体からなり、前端部に前玉レンズＬＦを支持する前端開口５０ａが形成され、後端部側にＣＣＤ固定板５２を介してＣＣＤ（撮像素子）５１が保持されている。なお、本実施形態では撮影光学系ＰＹの位置を分かりやすくするために光学系保持枠５０という一体形状部材を用いているが、撮影光学系ＰＹの支持部材は、このような一体形状部材でなくてもよい。
【００３５】
ＣＣＤ５１は撮影光学系ＰＹの結像位置に設けられている。ＣＣＤ固定板５２は、光学系保持枠５０の後端部とボディ後端面１１ｂの間に位置しており、光軸Ｏと略直交する平面状に配されている。光学系保持枠５０とボディ上面１１ｃの間には、ボディ上面１１ｃと略平行な平面状をなす第１スイッチ基板５３が配置されている。第１スイッチ基板５３には、電源ボタン１３、モードダイヤル１４、再生ボタン１５、メニューボタン１６、多方向ボタン１７の各接点が設けられている。光学系保持枠５０とボディ左側面１１ｆの間には、ボディ左側面１１ｆと略平行な平面状をなす第２スイッチ基板５４が配置されている。第２スイッチ基板５４には、ストロボモードボタン２０、セルフ連写ボタン２１、フォーカスモードボタン２２の接点が設けられている。光学系保持枠５０とボディ下面１１ｄの間には、ボディ下面１１ｄと略平行な平面状をなすジャック基板５５が配置されている。ジャック基板５５には、パソコンとの接続に用いるＰＣジャック５６、電源アダプタが接続されるアダプタジャック５７が設けられている。ＰＣジャック５６とアダプタジャック５７は、カメラ本体部１１のボディ左側面１１ｆに面しており、外部コネクタカバー２４を開くことでデジタルカメラ１０の外面側に露出する。また、光学系保持枠５０とボディ右側面１１ｅの間には、ボディ右側面１１ｅと略平行な平面状をなすメイン基板５８が配置されている。メイン基板５８にはデジタルカメラ１０全体の制御を司るマイコンや画像処理用の回路などが設けられており、第１スイッチ基板５３、第２スイッチ基板５４、ジャック基板５５に比べて光軸方向に長い部材となっている。ＣＣＤ固定板５２と第１スイッチ基板５３はそれぞれＦＰＣ５９ａ、５９ｂを介してメイン基板５８に接続されている。第２スイッチ基板５４はＦＰＣ５９ｃで第１スイッチ基板５３に接続されており、第１スイッチ基板５３経由でメイン基板５８に信号を送る。ジャック基板５５はコネクタ５５ａを介してメイン基板５８に接続されている。
【００３６】
図１３ないし図１６から分かるように、デジタルカメラ１０の撮影光学系ＰＹ（光学系保持枠５０）は、ＣＣＤ固定板５２、第１スイッチ基板５３、ジャック基板５５及びメイン基板５８からなる回路基板によって囲まれる空間に配置されている。より詳細には、本実施形態の撮影光学系ＰＹはズーミング時及びフォーカシング時に鏡筒を繰り出さないタイプであって、カメラ本体１１から前方に突出することなく常にその内部に収まっている。そして、このカメラ本体１１の内側に、撮影光学系ＰＹを囲むように上記各基板が配置されている。この回路配置により電装系のスペース効率が向上し、カメラの小型化やデザイン自由度の向上に寄与する。特に本実施形態はカメラ本体部１１が光軸方向に長い箱形（角筒）をなしており、その長手方向の内面に沿って第１スイッチ基板５３、第２スイッチ基板５４、ジャック基板５５、メイン基板５８を配することが有効である。
【００３７】
また、本実施形態ではカメラ本体部１１のボディ右側面１１ｅ側に回動可能なグリップ４０が配されている。グリップ４０のような可動部材を設けた側の面には、該可動部材に覆われたり干渉されたりすることを避けるため、カメラ外面に露出するスイッチ類や端子（ジャック）類は配置しないことが好ましい。そのため、スイッチ接点を備えた第１スイッチ基板５３、第２スイッチ基板５４や、端子を備えたジャック基板５５は、ボディ右側面１１ｅ以外のボディ上面１１ｃ、ボディ下面１１ｄ、ボディ左側面１１ｆの内面に沿って配置されている。そして、ボディ右側面１１ｅ側にスイッチ類や端子類が配置されない（できない）ことを逆に利用して、カメラ外面側との接続が不要なメイン基板５８をこのボディ右側面１１ｅの内面側に配置するようにしている。図１４や図１５から分かるように、ボディ右側面１１ｅの内面側スペースを全面的にメイン基板５８に割り振って、光軸方向において光学系保持枠５０の全長にほぼ匹敵する形状のメイン基板５８を採用することが可能になっている。
【００３８】
また、グリップ４０と同様の可動部材である液晶モニタブロック２５を支持するボディ後端面１１ｂ側にもスイッチ類や端子類が設けられておらず、該ボディ後端面１１ｂの内面側には、メイン基板５８と同様にカメラ外面側との接続を考慮する必要のないＣＣＤ固定板５２が配置されている。ボディ後端面１１ｂの内面側スペースは撮影光学系ＰＹの最後端部に対向しているので、ＣＣＤ固定板５２を当該スペースに配することがスペースや回路効率の面から最も好ましい。
【００３９】
図１７と図１８はＣＣＤ５１周辺の放熱構造を示している。前述の通り、撮影光学系ＰＹは光学系保持枠５０に収納保持されており、光学系保持枠５０の外側には、該光学系保持枠５０を囲繞してカメラ本体部１１のボディ上面１１ｃ、ボディ下面１１ｄ、ボディ右側面１１ｅ、ボディ左側面１１ｆが位置されている。また、光学系保持枠５０の光軸方向後端部に対向してカメラ本体部１１のボディ後端面１１ｂが位置されている。さらに、光軸Ｏを中心とする放射方向において、カメラ本体部１１の外装部（ボディ上面１１ｃ、ボディ下面１１ｄ、ボディ右側面１１ｅ、ボディ左側面１１ｆ）と光学系保持枠５０の間には、該光学系保持枠５０の外側を囲んで中間断熱枠６３が設けられている。中間断熱枠６３は、光学系保持枠５０をカメラ本体部１１内に固定させるための固定部材である。
【００４０】
ＣＣＤ固定板５２上に設けたＣＣＤ５１は、光学系保持枠５０に形成した後端開口５０ｂに臨んで位置している。ＣＣＤ固定板５２は固定ねじ６０を介して光学系保持枠５０の後端部に固定されており、ＣＣＤ固定板５２には固定ねじ６１を介して放熱板６２が固定されている。放熱板６２は、ボディ後端面１１ｂと光学系保持枠５０の後端部との間の空間ＳＰ１を通ってボディ左側面１１ｆに近づく方向に延出される熱伝導面６２ａと、該熱伝導面６２ａに対してカメラ前方に向けて折り曲げられてボディ左側面１１ｆと中間断熱枠６３との間の空間ＳＰ２内に延設される放熱面６２ｂとからなり、放熱面６２ｂの方が熱伝導面６２ａよりも幅広に形成されている（図１８参照）。放熱板６２の放熱面６２ｂの先端部付近は、断熱スペーサ６６を介して中間断熱枠６３に接触支持されている。
【００４１】
カメラ本体部１１のボディ左側面１１ｆには、外面側と内面側を貫通させて放熱窓（貫通穴）１１ｆ１が形成されており、この放熱窓１１ｆ１にモール６５（外観放熱部材、図２参照）が嵌っている。モール６５はデジタルカメラ１０の外観を構成しており、カメラ本体部１１の長手方向へ所定の長さを有している。このモール６５と放熱板６２の放熱面６２ｂとは、弾性熱伝導材６４を介して接触している。
【００４２】
以上のＣＣＤ５１周辺構造において、カメラ本体部１１、中間断熱枠６３及び断熱スペーサ６６は、熱伝導率の低い材料、例えば合成樹脂で構成されている。一方、固定ねじ６０、固定ねじ６１、ＣＣＤ固定板５２、放熱板６２、弾性熱伝導材６４、モール６５はそれぞれ熱伝導率の高い材質で形成されている。具体的には、固定ねじ６０と固定ねじ６１は銅などの金属、ＣＣＤ固定板５２は銅やアルミなどの金属、弾性熱伝導材６４は熱伝導性ゴムや熱伝導性シリコンで形成することが好ましい。また、モール６５は、少なくともカメラ本体部１１よりも熱伝導率の高い材料で形成されており、例えば、モール６５全体を金属材料で形成するか、少なくともモール６５の外面を金属メッキで構成することが望ましい。
【００４３】
以上の放熱構造によれば、ＣＣＤ５１から発生する熱が、ＣＣＤ固定板５２、放熱板６２、弾性熱伝導材６４、モール６５と伝達されてカメラの外側に放熱される。そして、放熱板６２の放熱面６２ｂと光学系保持枠５０との間に熱伝導率が低い中間断熱枠６３を位置させたため、放熱板６２からの熱が光学系保持枠５０へ伝わりにくくなっている。特に、熱伝導率の低い断熱スペーサ６６を介して放熱板６２の放熱面６２ｂを中間断熱枠６３に支持させるようにしたので、放熱板６２の支持安定性を高めつつ中間断熱枠６３及びその内側の光学系保持枠５０への熱伝導を抑えることができる。
【００４４】
なお、図中には表れていないが、光学系保持枠５０やその内部の撮影光学系ＰＹに対する断熱効果をさらに向上させるために、放熱板６２と中間断熱枠６３との間、あるいは中間断熱枠６３と光学系保持枠５０との間に別途断熱材を設けてもよい。
【００４５】
一方、放熱面６２ｂの外面側には、熱伝導率の高い弾性熱伝導材６４を接触させ、モール６５側へ積極的に放熱させている。モール６５は、デジタルカメラ１０の外観に露出し、かつ少なくともその外表面が金属材料で形成されているので高い放熱効果を有している。そして、このような外観放熱部材への放熱経路として、カメラ本体部１１の内外を貫通する放熱窓１１ｆ１を形成し、最短距離で放熱板６２とモール６５を接続させたので、放熱効果が一層高くなっている。なお、モール６５は、可動のグリップ４０を支持するボディ右側面１１ｅとは反対側のボディ左側面１１ｆに装着されているので、グリップ４０によって放熱効果が妨げられるおそれがない。
【００４６】
また、弾性熱伝導材６４は、放熱板６２とモール６５のそれぞれに対して弾性的に接触するので密着度が高く、熱伝導率と放熱効果がより一層向上している。
【００４７】
また、本実施形態のデジタルカメラ１０は、カメラ本体部１１が光軸方向に長い細長筒状をなしており、光学系保持枠５０と該光学系保持枠５０を囲むカメラの外装部（ボディ上面１１ｃ、ボディ下面１１ｄ、ボディ右側面１１ｅ、ボディ左側面１１ｆ）との距離が近い。そのため、ＣＣＤ５１からカメラ外部までの放熱経路を短くすることが可能になっており、これも放熱効果の向上に寄与している。なお、ボディ後端面１１ｂはボディ左側面１１ｆなどよりもさらにＣＣＤ５１に近接しているが、該ボディ後端面１１ｂ側には液晶モニタブロック２５が支持されているので、ボディ後端面１１ｂ側よりもボディ左側面１１ｆ側へ放熱させることが好ましい。
【００４８】
本実施形態のデジタルカメラ１０は、以上の放熱構造によって、ＣＣＤ５１から発生する熱を効率よくカメラの外側に逃がすと共に、その熱を撮影光学系ＰＹ（光学系保持枠５０）へは伝わりにくくできる。よって、ＣＣＤ５１から出力された画像データに関して、熱を起因とするノイズ成分を抑えることができる。また、熱膨張による撮影ユニット（撮影光学系ＰＹ、光学系保持枠５０）の精度低下も効率的に抑えることができる。
【図面の簡単な説明】
【００４９】
【図１】本発明の放熱構造を適用したデジタルカメラの一実施形態を示す前方斜視図である。
【図２】同デジタルカメラを図１と異なる方向から見た前方斜視図である。
【図３】同デジタルカメラの背面図である。
【図４】同デジタルカメラをグリップ側から見た側面図である。
【図５】同デジタルカメラにおいてグリップを回動させた状態を示す側面図である。
【図６】同デジタルカメラにおいてグリップの異なる角度位置を示す側面図である。
【図７】同デジタルカメラにおいてグリップのさらに異なる角度位置を示す側面図である。
【図８】同デジタルカメラにおける液晶モニタブロックの起立状態を示す側面図である。
【図９】同デジタルカメラにおいて、液晶モニタブロックを図４とは反転させた状態を示す側面図である。
【図１０】同デジタルカメラにおける液晶モニタブロックの起立状態を示す前方斜視図である。
【図１１】同デジタルカメラにおいて、カメラ本体部に対してグリップが近接した状態の正面図である。
【図１２】同デジタルカメラにおいて、カメラ本体部に対してグリップが離間した状態の正面図である。
【図１３】同デジタルカメラの内部の回路構成の概略を示す正面図である。
【図１４】同回路構成の概略を示す平面図である。
【図１５】同回路構成の概略を示す側面図である。
【図１６】同回路構成の概略を示す、図１５とは反対側からみた側面図である。
【図１７】カメラ本体部内のＣＣＤ付近を、図２のＱ１断面線に沿って示した断面図である。
【図１８】カメラ本体部内のＣＣＤ付近を、図１７のＱ２断面線に沿って示した断面図である。
【符号の説明】
【００５０】
Ｏ  光軸
ＰＹ  撮影光学系（結像光学系）
Ｓ  グリップの長手方向線
Ｘ１  Ｘ２  液晶モニタブロックの回動軸線
Ｘ３  グリップの回動軸線
１０  デジタルカメラ
１１  カメラ本体部
１１ａ  ボディ前端面
１１ｂ  ボディ後端面
１１ｃ  ボディ上面（囲繞面）
１１ｄ  ボディ下面（囲繞面）
１１ｅ  ボディ右側面（囲繞面）
１１ｆ  ボディ左側面（囲繞面）
１１ｆ１  放熱窓（貫通穴）
１３  電源ボタン
１４  モードダイヤル
１５  再生ボタン
１６  メニューボタン
１７  多方向ボタン
１８  ポップアップストロボ
１９  メモリカード蓋
２０  ストロボモードボタン
２１  セルフ連写ボタン
２２  フォーカスモードボタン
２３  スピーカー開口部
２４  外部コネクタカバー
２５  液晶モニタブロック（画像表示部）
２６  ヒンジ部
３２  液晶表示部（画像表示面）
４０  グリップ
４０ａ  ４０ｂ  グリップ端面
４０ｃ  ４０ｄ  ４０ｅ  ４０ｆ  長手方向面
４０ｇ  傾斜面
４０ｈ  弧状面
４１  グリップ回動軸
４２  バッテリ
４３  電池蓋
４５  シャッタボタン
４６  ズーム操作レバー
４７  録画ボタン
４８  三脚ねじ穴
５０  光学系保持枠
５０ａ  前端開口
５０ｂ  後端開口
５１  ＣＣＤ（撮像素子）
５２  ＣＣＤ固定板
５３  第１スイッチ基板
５４  第２スイッチ基板
５５  ジャック基板
５６  ＰＣジャック
５７  アダプタジャック
５８  メイン基板
６０  ６１  固定ねじ
６２  放熱板
６２ａ  熱伝導面
６２ｂ  放熱面
６３  中間断熱枠
６４  弾性熱伝導材
６５  モール（外観放熱部材）
６６  断熱スペーサ
【図１】
2005328202.tif 000003
【図２】
2005328202.tif 000004
【図３】
2005328202.tif 000005
【図４】
2005328202.tif 000006
【図５】
2005328202.tif 000007
【図６】
2005328202.tif 000008
【図７】
2005328202.tif 000009
【図８】
2005328202.tif 000010
【図９】
2005328202.tif 000011
【図１０】
2005328202.tif 000012
【図１１】
2005328202.tif 000013
【図１２】
2005328202.tif 000014
【図１３】
2005328202.tif 000015
【図１４】
2005328202.tif 000016
【図１５】
2005328202.tif 000017
【図１６】
2005328202.tif 000018
【図１７】
2005328202.tif 000019
【図１８】
2005328202.tif 000020